(57)【要約】本発明は場所領域を所定の地域単位で区分することで複数の主舞台を設定し、一つの前記主舞台に対して該位置での実際空間の公共場所が投影された仮想空間の場所をスポットとして一つ以上設定して保存し、前記移動通信端末機の位置情報から該主舞台に属する前記一つ以上のスポット情報を前記移動通信端末機に提供することで、前記移動通信端末機を通じて伝送された該スポットに登録されたポスト情報を受信して、前記受信されたポスト情報を該スポットとリンクを形成して保存する位置基盤コミュニティーサービス提供システムに関するものであり、特に各ユザー別にアジト、スポット、友達又はお隣などの推薦のために所定の推薦アルゴリズムを遂行する推薦エンジン部、前記各アジトとスポットに対するレベルを所定の既設定された規則によって設定して管理する機能を遂行するレベル管理部、及び各リンクに対する評価を遂行して、結果を管理する機能を遂行する評価管理部を含むことを特徴とする。【選択図】図１
2008507751.tif 000002
【特許請求の範囲】
【請求項１】
場所領域を所定の地域単位で区分することで複数の主舞台を設定し、前記主舞台の中の一つに対して該位置での実際空間の公共場所が投影された仮想空間の場所をスポットとして一つ以上設定して保存し、前記移動通信端末機の位置情報から該主舞台に属する前記一つ以上のスポット情報を前記移動通信端末機に提供することで前記移動通信端末機を通じて伝送された該スポットに登録されたポスト情報を受信して、前記受信されたポスト情報を該スポットとリンクを形成して保存する位置基盤コミュニティーサービス提供システムにおいて、各ユーザー別にアジト、スポット、友達又はお隣等の推薦のための改めて定められた推薦アルゴリズムを遂行する推薦エンジン部と、前記各アジトとスポットに対するレベルを改めて設定された規則によって設定して管理する機能を遂行するレベル管理部と、各リンクに対する評価を遂行し、結果を管理する機能を遂行する評価管理部とを含めて構成されることを特徴とする移動通信端末機を通じたモブログ基盤の地域コミュニティーシステムでスポット又はアジトを推薦する装置。
【請求項２】
前記推薦エンジン部は、前記各ユーザーの情報を含む前記ユーザーのアジトと前記ユーザーと他のユーザーのアジト、又は前記アジトと前記スポットとの関係性を測定するリンク測定部と、前記アジト及び／又はスポットのレベルを測定するレベル測定部と、前記リンク測定部で測定したリンク数値と前記レベル測定部で測定したレベル値によって、該スポット及び／又はアジトの推薦優先順位を算出する優先順位算出部と、前記優先順位算出部で決定した優先順位によってスポット及び／又はアジトの推薦対象を決定する推薦対象決定部とを含むことを特徴とする請求項１記載の移動通信端末機を通じたモブログ基盤の地域コミュニティーシステムでスポット又はアジトを推薦する装置。
【請求項３】
前記推薦エンジン部は、照会数、評価数、コメント数、お気に入り回数、及びメモ伝送回数の中で選択されたある一つ以上を測定する方法によって前記リンク測定部で各ユーザーの情報を含む前記ユーザーのアジトと前記ユーザーと他のユーザーのアジト、又は前記アジトと前記スポットとの関係性を測定することを特徴とする請求項２記載の移動通信端末機を通じたモブログ基盤の地域コミュニティーシステムでスポット又はアジトを推薦する装置。
【請求項４】
前記レベル測定部は、前記他のアジトとスポットによって遂行されたリンクの数によって前記レベルを測定することを特徴とする請求項２記載の移動通信端末機を通じたモブログ基盤の地域コミュニティーシステムでスポット又はアジトを推薦する装置。
【請求項５】
前記レベル測定部は、ユーザーアジトが遂行した活動性によって前記レベルを測定することを特徴とする請求項２記載の移動通信端末機を通じたモブログ基盤の地域コミュニティーシステムでスポット又はアジトを推薦する装置。
【請求項６】
場所領域を所定の地域単位で区分することで複数の主舞台を設定して、前記主舞台の一つに対して該位置での実際空間の公共場所が投影された仮想空間の場所をスポットとして一つ以上設定して保存し、前記移動通信端末機の位置情報から該主舞台に属する前記一つ以上のスポット情報を前記移動通信端末機に提供することで前記移動通信端末機を通じて伝送された該スポットに登録されたポスト情報を受信し、前記受信されたポスト情報を該スポットとリンクを形成して保存する位置基盤コミュニティーサービス提供方法において、ユーザーの該ポストに対する関係性を測定する段階と、前記ユーザーが他のアジト及び／又はスポットによって遂行されたリンクを測定する段階と、前記ユーザーアジトが遂行した活動性を測定する段階と、前記各測定値を考えて該アジト及び／又はスポットのレベルを算出する段階と、前記測定されたユーザーポストの関係度とレベルから推薦優先順位を算出する段階と、前記推薦優先順位から最終的に推薦対象を決定する段階とを含むことを特徴とすることを特徴とする移動通信端末機を通じたモブログ基盤の地域コミュニティーシステムでスポット又はアジトを推薦する方法。
【請求項７】
前記該ポストに対する関係性を測定する段階は、照会数、評価数、コメント数、お気に入り回数、又はメモ伝送回数の中で選択されたある一つ以上を測定する方法によって遂行されることを特徴とする請求項６記載の移動通信端末機を通じたモブログ基盤の地域コミュニティーシステムでスポット又はアジトを推薦する方法。
【請求項８】
前記レベルを算出する段階は、前記他のアジトとスポットによって遂行されたリンクの数を測定して前記レベルを算出することを特徴とする請求項６記載の移動通信端末機を通じたモブログ基盤の地域コミュニティーシステムでスポット又はアジトを推薦する方法。
【請求項９】
前記レベルを算出する段階は、ユーザーアジトが遂行した活動性を測定して前記レベルを算出することを特徴とする請求項６記載の移動通信端末機を通じたモブログ基盤の地域コミュニティーシステムでスポット又はアジトを推薦する方法。
【発明の詳細な説明】
【技術分野】
【０００１】
本発明は移動通信端末機を通じて掲示物を登録して閲覧するモブログシステム及び方法に関するものであって、特に移動通信端末機を通じたモブログ基盤の地域コミュニティーサービスでスポット又はアジトを推薦する装置及び方法に関する。
【背景技術】
【０００２】
初期の無線インターネットサービス、即ち、移動通信端末機を用いたインターネットサービスは着信メロディダウンロード又はモバイルゲーム等の断片的サービスのみが提供された。しかし、移動通信端末機網の開放など外部環境の変化によってポータル事業者（Ｐｌａｔｆｏｒｍ）のユーザー（Ｕｓｅｒ）基盤サービスに基づいて有無線統合インターネットサービスの提供がより容易になった。
【０００３】
なお、無線ネットワークと有線ネットワークが連動される関係型有無線サービスへの発展が加速化されている。例えば、移動通信端末機を用いてインスタントメッセンジャー（Ｉｎｓｔａｎｔ  Ｍｅｓｓｅｎｇｅｒ）サービスを提供したり、モバイル（Ｍｏｂｉｌｅ）ミニホムピィ等の提供又はモバイルブログ（Ｂｌｏｇ）サービス等が提供されている。
【０００４】
一方、最近登場した‘モブログ（Ｍｏｂｌｏｇ）’という用語は‘モバイル（Ｍｏｂｉｌｅ）’と‘ブログ（Ｂｌｏｇ）’の合成語として携帯電話を用いてウェブ上のブログに文、写真等のコンテンツをリアルタイムで書き込めるように提供するサービスを示す。
【０００５】
前記のようなモブログサービスはユーザーの写真と文をサーバーに伝送したり、単純に前記サーバーからの写真と文を照会する形で構成されている。  前記モブログは特定場所での写真と文に対してリアルタイム的情報を伝送して保存する機能があるが、該場所に対する情報は入力されなかったり、ユーザーによる入力文で構成されるようになり、本人以外の人達には検索され難くて、その価値性が落ちる問題点がある。
【０００６】
従って、前記モブログサービスの利用において写真と文に対する情報のユーザー達間の共有性を高めるための方法とリアルタイム的コミュニティー形成を通じた人的ネットワークの形成をサポートするサービス方法の出現が切実に要求されている実情である。
【０００７】
なお、前記移動通信端末機を用いたモブログサービスの利用において、メッセージ伝送対象を効果的に推薦する方法が必要である。
【発明の開示】
【発明が解決しようとする課題】
【０００８】
従って、本発明が解決しようとする技術的課題は有無線を基盤でユーザーが実際場所を基盤であった経験を保存及び共有したり、ユーザーの地域基盤で興味（特定主題又は場所）の同じユーザー達の間のオフ会をサポートできる移動通信端末機を通じたモブログ基盤の地域コミュニティーシステムでスポット又はアジトを推薦する装置及び方法を提供する。
【０００９】
なお、本発明が解決しようとする技術的課題はユーザーが自身のある場所で経験したことを写真又は文の形で有無線装置を通じて事業者が提供するサーバーに保存したり、前記保存された情報を他人と共有できる移動通信端末機を通じたモブログ基盤の地域コミュニティーシステムでスポット又はアジトを推薦する装置及び方法を提供する。
【００１０】
なお、本発明が解決しようとする技術的課題はモブログ基盤の地域コミュニティーサービス提供システムで所定の推薦アルゴリズムによって推薦対象者（アジト）又はスポットを推薦することで新しい友達又はお隣を形成できるようにする移動通信端末機を通じたモブログ基盤の地域コミュニティーシステムでスポット又はアジトを推薦する装置及び方法を提供する。
【課題を解決するための手段】
【００１１】
前記の目的を達成するための本発明の装置は、場所領域を所定の地域単位で区分することで複数の主舞台を設定し、一つの前記主舞台に対して該位置での実際空間の公共場所が投影された仮想空間の場所をスポットとして一つ以上設定して保存し、前記移動通信端末機の位置情報から該主舞台に属する前記一つ以上のスポット情報を前記移動通信端末機に提供することで前記移動通信端末機を通じて伝送された該スポットに登録されたポスト情報を受信し、前記受信されたポスト情報を該スポットとリンクを形成して保存する位置基盤コミュニティーサービス提供システムにおいて、各ユーザー別にアジト、スポット、友達又はお隣等の推薦のために所定の推薦アルゴリズムを遂行する推薦エンジン部と、前記各アジトとスポットに対するレベルを所定の既設定された規則によって設定して管理する機能を遂行するレベル管理部と、各リンクに対する評価を遂行して、結果を管理する機能を遂行する評価管理部とを含むことを特徴とする。
【００１２】
前記の目的を達成するための本発明の方法は、場所領域を所定の地域単位で区分することで複数の主舞台を設定し、一つの前記主舞台に対して該位置での実際空間の公共場所が投影された仮想空間の場所をスポットとして一つ以上設定して保存し、前記移動通信端末機の位置情報から該主舞台に属する前記一つ以上のスポット情報を前記移動通信端末機に提供することで前記移動通信端末機を通じて伝送された該スポットに登録されたポスト情報を受信し、前記受信されたポスト情報を該スポットとリンクを形成して保存する位置基盤コミュニティーサービス提供システムにおいて、ユーザーの該ポストに対する関係性を測定する段階と、前記ユーザーが他のアジト及び／又はスポットによって遂行されたリンクを測定する段階と、前記ユーザーアジトが遂行した活動性を測定する段階と、前記各測定値等を考えて該アジト及び／又はスポットのレベルを算出する段階と、前記測定されたユーザーポストの関係度とレベルから推薦優先順位を算出する段階と、前記推薦優先順位から最終的に推薦対象を決定する段階とを含むことを特徴とする。
【発明を実施するための最良の形態】
【００１３】
以下は本発明による好ましい実施例を添付した図面を参照して詳細に説明する。しかし、以下に説明される本発明の好ましい実施例は本発明の技術的範囲を限定することではなく、本発明の属した技術分野での通常の知識を有する者に本発明をより明確で容易に説明しようとするものである。図面上で同一の図面符号は同一要素を指称する。
【００１４】
本発明は携帯電話を用いてウェブ上のブログに文、写真などのコンテンツをリアルタイムで書き込めるように提供するモブログサービスに‘場所’の概念を導入して、前記場所を媒介？するユーザー間のコミュニティーを形成する方法を提案する。
【００１５】
一方、本発明の基本的概念は実際空間場所を仮想空間の場所に投影するにある。即ち、実際空間に対してマッピングされる仮想空間の場所を提供することで、仮想空間でのユーザー達間の情報の共有をできるようにして、情報を掲示したり実際空間での思い出と写真を残せるようにさせる。なお、該場所に対する多様な情報と評価をポスティングできる自由掲示空間を提供する。このような活動を通じて自然にユーザー達間に場所中心のコミュニティーが形成されて、実際オフラインでのミーティングを容易にできるようにする。
【００１６】
なお、本発明の実施例によって移動通信端末機を通じたモブログ基盤の地域コミュニティーシステムで所定の推薦アルゴリズムによる推薦方法を提供する。この時、前記推薦はスポット（ＳＰＯＴ）の推薦、アジト（ＡＺＩＴ）の推薦及び公知のための対象者の推薦などで分けられる。
【００１７】
以下、まず本発明の具現のために導入されるいくつかの用語を定義する。
【００１８】
本発明で用いられる‘主舞台’という用語は事業者によって分離された実際空間での地域単位を意味し、前記主舞台の単位は行政  区域上の市、郡、区、邑、面、洞等の多様な形で拡張され、区分される。例えば、江南駅、狎鴎亭、明洞、鍾路などの行政  区域上の名称になる。前記主舞台はユーザーが現在位置した実際位置に基盤して、前記ユーザーが移動して特定主舞台の領域内に属される場合、前記ユーザーの位置を把握して自動に設定される。
【００１９】
‘スポット（ＳＰＯＴ）’という用語は実際空間の特定場所（又は公共場所）が投影された仮想空間の場所である。例えば、ロデオ通り、狎鴎亭洞現代百貨店、駅三洞ルネサンスホテル等と同じ現実空間に対する同一名前の仮想空間であり、ミーティングの空間である。  この時、前記スポットはユーザーが属される主舞台内に一つ以上存在されるようになり、前記主舞台はユーザーの現在位置情報によって自動に設定されるが、前記スポットは前記主舞台内に属したスポットの中でユーザーが任意に選択して参与することができる。
【００２０】
‘アジト（ＡＺＩＴ）’は実際空間の家庭が投影された仮想空間の場所である。即ち、個人別に自分だけの個人空間を所有することができる空間であり、個人用ホームページの概念でもあり、人脈（友達とお隣）形成の空間になる。‘ポスト（ＰＯＳＴ）’は自分の興味事項、写真、文などを前記スポットやアジトに書く込む情報の単位である。このように、情報？前記スポットやアジトなどに書き込む作業を‘ポスティング（ｐｏｓｔｉｎｇ）’と称する。
【００２１】
なお、‘メモ（メッセージ）’は自分が直接作成したポスト又は他人が作成したポストを友達又はお隣に知らせるためのお知らせ又は公知サービスである。前記のようなメモは短文メッセージサービス（Ｓｈｏｒｔ  Ｍｅｓｓａｇｅ  Ｓｅｒｖｉｃｅ；  以下、‘ＳＭＳ’とする）又はマルチメディア  メッセージサービス（Ｍｕｌｔｉｍｅｄｉａ  Ｍｅｓｓａｇｅ  Ｓｅｒｖｉｃｅ；  以下、‘ＭＭＳ’とする）の形で拡張されることができる。
【００２２】
一方、本発明で用いられる‘リンク（ｌｉｎｋ）’という用語はユーザーの人脈関係（例えば、アジトとアジト）とユーザーの興味（スポット）の連結（例えば、アジトで特定スポットへのお気に入り）を意味する。この時、ユーザーとの人脈関係は友達関係（相手が友達として承諾する場合）とお隣関係（相手のアジトに対して単純にお気に入り登録をした場合）と区分して管理するように具現することができる。
【００２３】
以下、前記本発明によって定義された主舞台でのスポット、アジト等によるリンク形成関係を図１及び図２を参照して説明する。
【００２４】
図１は本発明によるユーザーの活動基盤である人脈ネットワークを概念的に表現した主舞台の概念図である。
【００２５】
前記図１を参照すると、自分のアジト（即ち、私のアジト（Ｍｙアジト）（１００）を中心で一つ以上のスポット（１１０、１２０）及び友達（又はお隣）のアジト（１３０、１４０）がリンクされる。
【００２６】
即ち、前記図１では私のアジト（１００）に二つのスポット（１１０、１２０）がリンクされるいることがわかる。前記スポット（１１０、１２０）のリンクは該スポットをお気に入りすることでリンクさせることができる。一方、前記スポット又はアジトの中で太文字で表示されたスポット（１１０、１４２、１４４）又はアジト（１００、１１１）は該スポットとアジトに対するレベルを意味する。
【００２７】
なお、前記各スポットには他のアジトとリンク形成ができる。例えば、１１０番スポットは１１１番アジトともリンク形成できるし、１２０番スポットは１２１番アジトともリンク形成できる。前記で太文字で表示されたリンクは該スポット又はアジトに対する興味の程度及び活動の程度を示すリンクの連結度（Ｓｔｒｅｎｇｔｈ）を意味する。
【００２８】
同時に、前記私のアジト（１００）には二つのアジト（１３０、１４０）がリンクされていて、上述したように前記１３０番アジトは私のアジト（１００）が単純にお気に入りすることでリンクされるお隣アジトになり、前記１４０番アジトは私のアジト（１００）が友達要請をして承諾されることでリンク形成される友達アジトになる。
【００２９】
一方、前記１３０番アジトと連結された他のアジト（１３１）は一方的に前記私のアジト（１００）をリンクさせることもできる。勿論、前記他のアジト（１３１）も一つ以上のスポット（１３２）とアジト（１３３）をリンクさせることができる。
【００３０】
前記私のアジトが友達関係とリンク形成させた友達アジト（１４０）も同様に一つ以上のアジト（１４３）及びスポット（１４４）とリンクを形成することができるし、前記友達アジト（１４０）とリンク形成されたアジト（１４３）も一つ以上のスポット（１４２）及びアジトとリンクされた他のアジト（１４１）によってリンク形成されることができる。
【００３１】
図２は本発明によるユーザーのアジトを中心とする特定場所（Ｓｐｏｔ）、友達（バディー；  Ｂｕｄｄｙ）との関係性を示すリンク概念図である。
【００３２】
前記図２を参照すると、前記図１で上述したように私のアジト（１００）に所定のスポット（２００）又はバディーアジト（２２０）がリンクされることができて、前記スポット（２００）及びバディーアジト（２２０）も一つ以上のスポット（２４０）及びアジト（２１０、２３０）とリンクされる。
【００３３】
この時、前記私のアジト（１００）でリンクしたスポットは該ユーザーが興味を有する地点に対するスポットであり、前記私のアジト（１００）がリンクした同一スポット（２００）とリンクを形成したアジト（２１０）は私と同一興味を有していることと見られる。従って、前記リンクされたスポット（２００）を通じて前記スポット（２００）にリンクを形成した多くのアジト（１００、２１０）が該スポット（２００）に文を登録したり、閲覧することで該スポット（２００）と連関された多くの興味を共有することができる。例えば、自分が主に活動する舞台が‘江南駅’であって、その中で‘シティー劇場’のスポットをリンクさせたと仮定すると、前記シティー劇場をスポットとしてリンクさせた多くのユーザー達が前記場所と関連された文（例えば、映画と関連された情報又はイベントと関連された情報）を登録又は閲覧することで、該場所（即ち、同一対象としての場所）に対する興味を共有できるようになる。
【００３４】
なお、前記私のアジト（１００）は上述したように友達として登録したアジト（即ち、バディーアジト）（２２０）を通じて人脈を形成できるようになる。即ち、前記バディーアジト（２２０）がリンク形成したスポット（２４０）を通じて友達の興味等を共有できて、前記バディーアジト（２２０）がリンク形成したアジト（２３０）を通じて友達の友達を知ることができる。こうすることで、人間関係が自分の興味度によって仮想空間を通じて容易に拡張される。
【００３５】
一方、前記図２で説明したリンクの種類はまとめると、次の三つになる。
【００３６】
１）リンクの要請とリンク承諾を含めたアジトとアジト（Ａｚｉｔ  Ｔｏ  Ａｚｉｔ）間のリンク（人脈）
２）ユーザーの興味を指定するアジトとスポット（Ａｚｉｔ  Ｔｏ  Ｓｐｏｔ）間のリンク（ＵＲＬ（Ｕｎｉｆｏｒｍ  Ｒｅｓｏｕｒｃｅ  Ｌｏｃａｔｏｒ）お気に入り）
３）アジトとポスト（Ａｚｉｔ  Ｔｏ  Ｐｏｓｔ）間のリンク（ＵＲＩ（Ｕｎｉｆｏｒｍ  Ｒｅｓｏｕｒｃｅ  Ｉｄｅｎｔｉｆｉｅｒ）お気に入り）
【００３７】
なお、本発明は上述したようにリンク基盤の推薦を通じてユーザー間の人脈ネットワークを効果的に形成されることができて、前記リンク基盤の推薦（アジト推薦及びスポット推薦）はまとめると次のような類型と区分される。
【００３８】
１）共通興味ポスト（ＰＯＳＴ）を有する新しい友達（アジト）の推薦
２）共通の興味場所（ＳＰＯＴ）基盤の新しい友達（アジト）の推薦
３）友達（アジト）とまた人脈関係である友達（アジト）（即ち、友達の友達）の推薦
４）友達（アジト）の興味場所（スポット）推薦
５）友達（アジト）の興味ポスト推薦
【００３９】
以上で、本発明で、用いられる用語と人脈形成及び興味分野に対するリンク概念を説明した。
【００４０】
以下、図３及び図４を参照して、前記本発明を具現するためのシステムを説明する。
【００４１】
図３は本発明による移動通信端末機を通じたモブログ基盤の地域コミュニティーサービスシステムを示した図面である。
【００４２】
前記図３を参照すると、前記モブログ基盤の地域コミュニティーサービスシステムは移動通信端末機（３００）、無線網終端装置（３１０）、無線ネットワーク（３２０）、インターネットネットワーク（３３０）、有線端末機（３４０）、位置基盤コミュニティー  サーバー（３５０）及び外部連動システム（３６０）等に構成される。
【００４３】
前記移動通信端末機（３００）を通じて本発明によるモブログ基盤の地域コミュニティーサービスを提供され、前記移動通信端末機（３００）の位置情報を通じて前記移動通信端末機（３００）を所有したユーザーの位置（即ち、主舞台）を把握するようになる。前記無線網終端装置（３１０）は基地局及び基地局の制御機等を含む概念であって、前記移動通信端末機（３００）から無線環境を通じて受信された信号を処理して有／無線ネットワークに伝送する。一方、前記無線ネットワーク（３２０）は各移動通信端末機（３００）から受信されたパケット又はサーキット信号を処理して該端末機に伝送し、インターネットネットワーク（３３０）（即ち、有線ネットワーク）と位置基盤コミュニティーサーバー（３５０）等と連動されるように具現される。
【００４４】
即ち、前記無線ネットワーク（３２０）は所定のゲートウェイ（ｇａｔｅｗａｙ）等を通じて前記インターネットネットワーク（３３０）と通信し、前記インターネットネットワーク（３３０）を通じて所定の有線端末機（３４０）等と連結される。この時、前記無線ネットワーク（３２０）はネットワークの種類（例えば、非同期式網、同期式網又は２Ｇ、３Ｇ及び４Ｇ網）に関係なく、本発明を適用できることは自明である。
【００４５】
一方、前記位置基盤コミュニティーサーバー（３５０）は本発明によって上述した各種アジト、スポット、バディーの情報と前記各各のリンク情報及びポスト情報を含めて制御する機能を遂行する。前記位置基盤コミュニティーサーバー（３５０）は無線ネットワーク（３２０）を通じて移動通信端末機（３００）と連結されて、インターネットネットワーク（３３０）を通じて有線  端末機（３４０）等と連結される。この時、前記位置基盤コミュニティーサーバー（３５０）を通じた本発明のサービスを提供するにおいて、前記無線ネットワーク（３２０）の構成を変化させなくても、本発明の具現ができるように前記無線ネットワーク（３２０）と前記位置基盤コミュニティーサーバー（３５０）は知能網（Ｉｎｔｅｌｌｉｇｅｎｔ  Ｎｅｔｗｏｒｋ）で構成されるこどもできる。
【００４６】
なお、前記位置基盤コミュニティー  サーバー（３５０）は各種外部連動システム（３６０）と連動されることでより効果的サービス提供ができるようになる。例えば、短文メッセージシステム、インスタントメッセンジャーシステム、Ｅメールシステムとの連動を通じて該サービスを一緒にユーザーに連係して提供することができる。特に、本発明によって前記位置基盤コミュニティーサーバー（３５０）がユーザー達に位置に基盤したサービスを提供できるように、所定の位置基盤システムとも連動されて運営されることが好ましい。
【００４７】
以下、本発明の実施例によって提供されるべきである位置基盤コミュニティーサーバー（３５０）と外部連動システム（３６０）を図４を参照してより詳細に説明する。
【００４８】
図４は本発明の実施例による位置基盤コミュニティーサーバー及び外部連動システムの細部構成を示した図面である。
【００４９】
前記図４を参照すると、前記図３で上述したように位置基盤コミュニティーサーバー（３５０）及び一つ以上の外部連動システム（３６０）間の連動を通じて本発明の実施例によるサービスを提供する。
【００５０】
前記位置基盤コミュニティーサーバー（３５０）はユーザー認証部（Ａｕｔｈｅｎｔｉｃａｔｉｏｎ  ＆  ａｕｔｈｏｒｉｚａｔｉｏｎ；  ４００）、ポスト管理部（Ｐｏｓｔ  Ｍａｎａｇｅｒ；  ４１０）、外部インタフェース部（Ｉｎｔｅｒｆａｃｅ；  ４２０）、サービス管理モジュール（４３０）、推薦アルゴリズムモジュール（４４０）及びデータベース部（４５０）で構成される。
【００５１】
前記ユーザー認証部（４００）はユーザーに対する認証及び認可（Ａｕｔｈｅｎｔｉｃａｔｉｏｎ  ＆  Ａｕｔｈｏｒｉｚａｔｉｏｎ）の機能を遂行する。前記ポスト管理部（４１０）は情報  登録単位であるポストの入力、修正、削除、照会及び写真登録などを管理する機能を遂行する。前記外部インタフェース部（４２０）は前記外部連動システム（３６０）と連係するために前記位置基盤コミュニティーサーバー（３５０）と外部とのデータ送受信に対するインタフェースを担当する。
【００５２】
前記サービス管理モジュール（４３０）は本発明の実施例を遂行するために必要な各種多様な機能を含む。例えば、前記サービス管理モジュール（４３０）は検索エンジン部（Ｓｅａｒｃｈ  Ｅｎｇｉｎｅ；  ４３１）、カテゴリ管理部（Ｃａｔｅｇｏｒｙ  Ｍａｎａｇｅｒ；  ４３２）、ポスト評価管理部（Ｐｏｓｔ  Ｅｖａｌｕａｔｏｒ；  ４３３）、連結管理部（Ｌｉｎｋｅｒ；  ４３４）、ポイント管理部（Ｐｏｉｎｔ  Ｃｏｍｐｅｎｓａｔｉｎｇ  Ｍａｎａｇｅｒ；  ４３５）、マルチメディア管理部（Ｍｕｌｔｉｍｅｄｉａ  Ｈａｎｄｌｅｒ；  ４３６）及び情報構成部（Ｃｏｎｔｅｎｔ  Ｆｏｒｍａｔｔｅｒ；  ４３７）などで構成される。
【００５３】
前記検索エンジン部（４３１）はユーザーがキーワードを通じてポスト又はアジトを検索する時、前記入力されたキーワードによって検索を遂行して検索結果を出力させる機能を遂行する。前記カテゴリ管理部（４３２）は本発明によって提供される各カテゴリを管理する機能を遂行する。前記ポスト評価管理部（４３３）は他人によって評価されたポストの評価情報を管理する機能を遂行する。前記連結管理部（４３４）はアジトとポスト、アジトとアジト、アジトとスポット等の連結関係を管理する機能を遂行する。前記ポイント管理部（４３５）は各ユーザー達の使用実績などによって提供されるポイント及び前記ポイントによる補償などを管理する機能を遂行する。前記マルチメディア管理部（４３６）は本発明によって提供されたり、ユーザー達が登録した多様なマルチメディア情報などを管理する機能を遂行する。前記情報構成部（４３７）は本発明の遂行によって生成されて提供される各種情報を有無線環境に適合に画面を構成できるよう、既設定された所定のフォーマット（ｆｏｒｍａｔ）に合わせて前記情報を形成する機能を遂行する。
【００５４】
一方、前記推薦アルゴリズムモジュール（４４０）は所定の推薦アルゴリズムを遂行して各ユーザーにアジト、スポット、ポストなどを推薦する機能を遂行する。例えば、前記推薦アルゴリズムモジュール（４４０）は推薦エンジン部（Ｒｅｃｏｍｍｅｎｄａｔｉｏｎ  Ｓｙｓｔｅｍ；  ４４１）、レベル管理部（Ｌｅｖｅｌ（Ｒａｎｋ）  Ｓｙｓｔｅｍ；  ４４２）及び評価管理部（Ｌｉｎｋ  Ｅｖａｌｕａｔｏｒ；  ４４３）などで構成される。
【００５５】
前記推薦エンジン部（４４１）は各ユーザー別にアジト、スポット、友達又はお隣などの推薦のために所定の推薦アルゴリズムを遂行する。前記レベル管理部（４４２）は各アジトとスポットに対するレベルを所定の既設定された規則によって設定して管理する機能を遂行する。前記評価管理部（４４３）は各リンクに対する評価を遂行して、結果を管理する機能を遂行する。
【００５６】
なお、前記位置基盤コミュニティーサーバー（３５０）は各種データベースで構成されたデータベース部（４５０）を含む。例えば、前記データベースにはポスト情報データベース（４５１）、コンテンツ情報データベース（４５２）、ユーザー情報データベース（４５３）、推薦及び評価情報データベース（４５４）などになる。
【００５７】
前記ポスト情報  データベース（４５１）はポストに対する情報を含み、前記コンテンツ情報データベース（４５２）は本発明によって提供される各種コンテンツ情報を含み、前記ユーザー情報データベース（４５３）はユーザーに対する個人身上情報及びユーザーログイン情報を含み、前記推薦及び評価情報データベース（４５４）は各アジト、スポット、ポストなどに対する推薦及びレベル評価情報を含む。
【００５８】
一方、上述したように前記位置基盤コミュニティーサーバー（３５０）は前記外部連動システム（３６０）と連動して本発明による各種サービスを提供する。
【００５９】
前記外部連動システム（３６０）の種類ではＳＭＳシステム（４６１）、ＭＭＳシステム（４６２）、インスタントメッセージシステム（４６３）、Ｅメールシステム（４６４）、課金システム（４６５）及び位置基盤システム（４６６）などになる。
【００６０】
前記ＳＭＳシステム（４６１）は前記本発明を遂行する過程で短文メッセージ伝送機能が提供されるように短文メッセージ伝送機能を遂行する。前記ＭＭＳシステム（４６２）は本発明を遂行する過程でマルチメディアメッセージ伝送機能が提供できるようにマルチメディアメッセージ伝送機能を遂行する。なお、前記インスタントメッセンジャーシステム（４６３）はユーザー達間に有無線端末機を通じてインスタントメッセンジャー機能を用いることができるようにインスタントメッセージの処理を担当する。前記Ｅメールシステム（４６４）は本発明を遂行するにおいて用いられるＥメール伝送メニューに対する機能を提供する。前記課金システム（４６５）は前記本発明によるサービスを用いるにおいて、支払われるサービス費用を使用量によって又は定額制によって各ユーザーに課金する機能を遂行する。
【００６１】
前記位置基盤システム（４６６）は本発明を遂行するにおいて、各ユーザーに対する位置情報？提供する機能を遂行する。  即ち、各ユーザー達の移動通信端末機（３００）の位置情報を把握して本発明によって前記ユーザー達に主舞台情報等を提供する。一方、前記位置基盤システム（４６６）で遂行する移動通信端末機（３００）に対する位置情報を探す方法は多様に具現される。例えば、衛星位置確認システム（Ｇｌｏｂａｌ  Ｐｏｓｉｔｉｏｎｉｎｇ  Ｓｙｓｔｅｍ；ＧＰＳ）を利用したり、各移動通信端末機と通信する基地局のＩＤを利用するＣｅｌｌ−ＩＤ  検索方式を用いられる。他の方法としては建物単位の位置情報まで把握できる電子識別子（Ｕｎｉｑｕｅ  Ｆｅａｔｕｒｅ  ＩＤｅｎｔｉｆｉｅｒ；  ＵＦＩＤ）技術を活用して具現することもできる。
【００６２】
以上で本発明によるシステム構成を説明して、以下に本発明によって遂行されるサービス手順を説明する。まず、図５及び図６を参照して本発明によって提供されるサービスを説明する。
【００６３】
図５は本発明の実施例によって可能となるサービスの例等を示した図面である。
【００６４】
前記図５を参照すると、本発明の実施例によって移動通信端末機を通じて所定のサービスメニューが提供される。まず、本発明の実施例によって場所基盤の経験を保存及び共有することで、近所にいる興味の同じユーザーとのオフ会を誘導することができる。
【００６５】
即ち、前記図５の一番目に図示されたメニューのようにサービスユーザーは自分のいる位置で経験したことを写真、動映像又は文を通じて保存したり、他人と共有することができる。この時、前記写真又は動映像の登録するためには移動通信端末機にカメラ機能が具備されていることが好ましい。従って、現在位置で撮影した写真と一緒に関連文を作成して登録することで、近所にいる興味が同じユーザー達と経験を共有することができる。
【００６６】
なお、前記図５の二番目に図示されたメニューのように同一位置にいる他のユーザー達が前記のような方法によって登録した経験を共有することができる。即ち、自分のいるスポットでポストを登録した他のユーザー達が書き込んだ該スポットと関連された写真又は文などを通じて同じ場所であった経験等を共有することができる。
【００６７】
同時に、前記図５の三番目に図示されたメニューのように自分が書き込んだ情報を保存及び管理することができて、地域別場所及び他人のアジトを連動して照会することができる。
【００６８】
なお、本発明によるサービス？前記図５の四番目に図示されたメニューのように位置基盤サービスを通じて自分がバディー友達と登録したユーザー達に対する情報を検索することができる。即ち、ユーザーの友達の中で近所にいる友達の状態及び活動を知ることができて、前記友達とのリアルタイムコミュニケーションもできる。
【００６９】
一方、前記本発明による位置基盤のモブログサービスは前記図３で上述したように有線ネットワークと連動される。従って、インターネットと連結された自分のコンピュータ端末機を通じて上述の本発明による位置基盤コミュニティーサーバー（３５０）に接続して自分のバディーやポスティングを管理したり、アジト飾りをすることができる。
【００７０】
図６は本発明の実施例によってサービスできるサービスの流れを概念的に示した図面である。
【００７１】
前記図６を参照すると、本発明の実施例によってユザが実空間で写真又は文を書き込んだりオフ会を要請すると、同一空間上の他ユーザー達と有線ユーザー達が写真と文を見てコメントを作成することができて、オフ会出席可否を伝達して実空間で会えるサービスを提供することができる。
【００７２】
前記本発明を実際空間でのポスティングの観点で見てみると、ユーザーがまず実際空間、自分の位置で写真及び文を登録する。  この時、前記写真及び文を書き込んだユーザーの近所にいるユーザー達が前記ポスティングされた写真及び文を確認してコメントを作成することができる。そしたら、前記写真及び文をポスティングしたユーザーは他ユーザー達が書いたコメント又は照会数などを通じて他ユーザー達の反応を確認することができる。
【００７３】
なお、前記本発明をオフ会誘導の観点で見てみると、前記のようなポスティング活動などを通じて同一興味のユーザー達にオフ会を提案する。この時、前記ユーザーの近所にいるユーザー達は前記オフ会提案事実を確認して、出席可否を伝送する。前記出席可否を確認して、前記手順によって出席を通報したユーザー達とのオフ会が成立される。
【００７４】
一方、前記本発明を関係形成の観点で見てみると、前記のようにポスティング作成／確認、オフ会提案及びオフ会活動を通じてユーザー達間の相互反応（ｉｎｔｅｒａｃｔｉｏｎ）を通じた関係が自然に形成される。
【００７５】
以上に本発明によって提供できるサービスを説明した。以下、図７を参照して本発明の実施例による具体的サービス提供手順を説明する。
【００７６】
図７は本発明の実施例による移動通信端末機を通じたモブログ基盤の地域コミュニティーサービス提供手順を示した流れ図である。
【００７７】
前記図７を参照すると、まずユーザーは自分の移動通信端末機を通じてモブログ基盤の地域コミュニティーサービスを実行してユーザーログイン（７０１段階）を遂行する。この時、位置基盤システムによって現在ユーザーの位置情報に該当する主舞台が表示（７０２段階）される。  即ち、前記ユーザーが主舞台に入場する。前記主舞台は上述したように行政区域上の市、郡、区、邑、面、洞などの多様な形で表示される。例えば、江南駅、狎鴎亭、明洞、鍾路などの行政  区域上の名称になる。前記主舞台はユーザーが現在位置した実際位置に基盤して、前記ユーザーが移動して特定主舞台の領域内に属される場合、前記ユーザーの位置を把握して自動に設定されるようになる。
【００７８】
前記ユーザーがログインして主舞台に入場すると、上述した位置基盤コミュニティーサーバー（３５０）では該主舞台に属したスポットを検索して前記ユーザーの移動通信端末機でディスプレー（７０３段階）させる。
【００７９】
前記ユーザーは本発明の実施例によってスポット、アジト及びバディーメニューの中で選択（７０４段階）してサービスを提供される。
【００８０】
まず、ユーザーがスポットメニューで前記主舞台に該当するスポットの中で一つを選択（７０５段階）すると、該スポットで登録されたポスト目録がディスプレー（７０６段階）される。前記ディスプレーされたポスト目録の中で選択することで該目録に対する文又は写真を閲覧することができるようになる。
【００８１】
なお、前記スポットメニューでは提供される付加選択メニューによって多様な作業を実行（７０７段階）できる。例えば、新しいポストを登録したり登録されたポストにコメント（ｒｅｐｌｙ）を登録する作業を遂行することができる。なお、ポストを検索したり、登録されたポストに対する評価を遂行することができる。同時に、閲覧した所定のポストで該ポスト登録者のアジトへ移動することができる。これによって、前記ポストを登録した該ユーザーが登録した他の文を閲覧することができる。なお、興味のあるポスト又はアジトに対してはお気に入りと登録することができる。付加的機能では自分のメッセージ函を確認することもできる。
【００８２】
ユーザーが個人アジトメニューを選択（７０８段階）すると、自分が既保存した個人紹介及び自分が登録したポストのみを集めてディスプレー（７０９段階）することができる。即ち、前記ユーザーが特定スポットを通じてポストを登録した場合、前記多様なスポットに登録されたポストは前記個人アジトメニューで一括的に確認することができる。
【００８３】
なお、前記個人アジト選択メニューでは提供される付加選択メニューによって多様な作業を実行（７１０段階）することができる。例えば、ユーザーが登録したポストを確認したり、自分がスクラップ（ｓｃｒａｐ）又はプッシュ（ｐｕｓｈ）したポストをすることができる。  なお、ランクによる公開可否を設定することで、自分の個人身上情報又は自分が登録した文又は写真が好きなユーザー達のみに閲覧されるように具現することができる。同時に、自分が登録したポストに対するコメント、メモ又は評価等を確認したり、ユーザーのレベル及び性向を表示又は確認することができる。
【００８４】
一方、ユーザーがユーザーのバディーメニューを選択（７１１段階）すると、前記ユーザーとリンクされたバディー達の目録がディスプレーされて、前記バディー達の中の一人を選択すると、該バディーが登録したポスト目録がディスプレー（７１２段階）される。
【００８５】
なお、前記バディー選択メニューでは提供される付加選択メニューによって多様な作業を実行（７１２段階）することができる。例えば、該バディーのアジトへ移動したり、前記バディーのログイン情報を通じた現在位置を把握することができる。なお、各バディー間親密度を付与して、前記新密度による整列ができる。そして、前記各バディー達が登録したポストにコメント、メモ又は評価を登録することができる。同時に、自分の位置した地域基盤のバディー友達を検索することもできる。
【００８６】
以下、上述の本発明の実施例によって提供されるスポット、アジト、バディーメニューを通じたサービス方法を図８乃至図１２を参照して説明する。
【００８７】
図８及び図９は本発明の実施例による移動通信端末機のスポット（Ｓｐｏｔ）メニューを通じたサービス方法を示した図面である。
【００８８】
前記図８を参照すると、スポットメニューを活性化して好きな場所（スポット）で自分と他人の文を共有したり、興味が同一な人達のオフ会形成などを通じて相互間の関係を拡張及び深化させることのできる空間が提供される。
【００８９】
前記スポットは上述したように実際場所に存在する拠点（例えば、ロデオ通り）を意味し、ユーザー達だ一緒に作っていく共同のテーマ空間である。従って、前記スポットは公共場所としてテーマ単位の掲示板を形成することができるようにしてくれる。
【００９０】
前記スポットメニューでは主舞台、即ち、現在位置が‘狎鴎亭’と表示される。前記現在位置は位置基盤システム（Ｌｏｃａｔｉｏｎ  Ｂａｓｅｄ  Ｓｙｓｔｅｍ；ＬＢＳ）によって前記ユーザーが有している移動通信端末機の位置を把握することで提供される。即ち、前記主舞台は位置基盤システムによる主要都心と副都心を意味する。共用掲示板は該スポットでイベント及びお知らせ事項が見られるところである。
【００９１】
一方、上述したようにユーザーが主舞台に入場すると、前記主舞台に含まれたスポットの目録が所定の順序（例えば、人気順位）によってディスプレーされる。ここで、前記目録の中で特定スポットをハイライト表示することで私のスポットとリンクされていることを表示することができる。同時に、前記メニュー下端部にはメッセージ函機能を追加して自分宛てのメモを閲覧したり、友達が書き込んだポスト及びミーティングに対する公知を確認する。
【００９２】
前記スポットの目録の中で一つのスポット（例えば、ロデオ通り）を選択すると、図９のように該スポットに登録されたポストの目録がディスプレーされる。
【００９３】
前記図９を参照すると、該スポット、即ち、ロデオ通りに登録されたポストの目録がディスプレーされる。前記目録は該スポットでユーザー達が掲示した掲示物であって、身辺雑記、思い出残し、地域と商店で主催するイベント及びミーティングの公知まで多様な主題で掲示することができる。
【００９４】
前記ポストの目録で一つのポストを選択したあと、該ポストに対する閲覧及び評価を遂行したり、レプライを登録することができる。こうすることで、該ポスト登録者との情報交流を遂行し、ポストを通じた作成者のアジトに誘引することもできる。
【００９５】
一方、前記ポストの目録特定ポストをハイライト表示することで自分のバディーが登録したポストであることを表示することができる。
【００９６】
図１０及び図１１は本発明の実施例による移動通信端末機のアジト（Ａｚｉｔ）メニューを通じたサービス方法を示した図面である。
【００９７】
前記図１０を参照すると、個人アジトメニューを通じて他人との関係を結ぶための個人の全ての情報を保存して、レベル及び性向を表示することができる。こうすることで、個人の情報（Ｉｄｅｎｔｉｔｙ）を表出して、バディーを形成していない人との連動を提供してスポットでの積極的なポスティング活動などを誘導することができる。
【００９８】
前記ユーザー空間、即ち、アジトは主舞台で居住する自分の空間であり、自分を中心で地域基盤の友達に会える場所であり、自分を表現して飾ることができる自分だけの空間である。
【００９９】
前記アジトメニューでは自分が登録したポストの目録がディスプレーされて、自分のスクラップ又はプッシュしたポストがディスプレーされる。なお、関係ランクによって公開可否が異なることができるように該ポストに対する公開程度を設定することができる。
【０１００】
一方、前記ディスプレーされるポストの目録の中で一つのポストを選択すると、該ポストに対する内容が図１１のように表示される。
【０１０１】
前記図１１を参照すると、ポストの内容で自分を広報する文及び写真で構成される。即ち、前記自分のアジトに継続して登録される個別ポストによって自分の性向が表現されて、個人の興味方向が表出される。一方、前記図８で上述したスポットに登録されたポストは上述したように前記アジトのメニューにも同時に登録される。
【０１０２】
前記ポストの下端部には他ユーザー達が該ポストを閲覧して登録したコメント又は評価がディスプレーされる。即ち、該アジトのポストを閲覧した他のユーザー達は各ポストにコメント、メモ又は評価を遂行することができる。なお、即席グルーピングとミーティングを誘導することができるようになる。同時に、該アジト内のポストを通じた情報及び興味とミーティングを共有することで、他のユーザー達との相互交流と表現の場になる。
【０１０３】
一方、前記アジトに登録されたポストを分析してユーザーのレベル及び性向を表示することができる。即ち、ユーザーの経験値、関係指数及び評価項目などをシステムで分析して指数化することでユーザーのレベル及び性向を分析することができる。
【０１０４】
図１２は本発明の実施例による移動通信端末機のバディー（Ｂｕｄｄｙ）メニューを通じたサービス方法を示した図面である。
【０１０５】
前記図１２を参照すると、バディーメニューを通じて自分と連関されたバディーを保存及び管理して、現在自分のいる場所でのバディー（人脈）達の活動状況（例えば、プレゼンス情報、バディーが書き込んだ個別ポスト、バディーのアジトなど）を認知して相互関係を深化発展させることができる。
【０１０６】
前記バディーメニューは友達との共有空間であり、人脈関係による知人達のポスト空間である。従って、バディーの新しいポストがリストされて見せられ、該アジトに直接移動することができるリンクが提供される。なお、リアルタイ的なアラーム（Ａｌａｒｍ）を通じた、即ち、時性を提供する。
【０１０７】
一方、前記バディーメニューで提供されるポスト目録は前記ユーザーのバディー達が登録したポストであり、前記ポストを通じて前記ポストを登録した該バディーの現在活動と現況を知ることができるようになる。なお、前記バディー間の新密度によって前記ポストが整列される。
【０１０８】
この時、前記ポスト目録の中で一つのポストを選択すると、図１３のようにアジトのメニューに転換されて該ポストの内容がテキスト又はイメージの形で提供される。
【０１０９】
前記図１３を参照すると、ポストの内容がディスプレーされて、前記ポストの内容によって該バディーに対して広報する文及び写真で構成される。即ち、前記バディーが登録した個別ポストによって自分の性向が表現されて、個人の興味方向が表出される。
【０１１０】
前記ポストの下端部には他ユーザー達が該ポストを閲覧して登録したコメント又は評価がディスプレーされる。即ち、該バディーのポストを閲覧した他のユーザー達は各ポストにコメント、メモ又は評価などを遂行することができる。なお、即席グルーピングとミーティングを誘導することができるようになる。同時に、該バディー内のポストを通じた情報及び興味とミーティングを共有することで、他のユーザー達との相互交流と表現の場になる。
【０１１１】
図１４は本発明の実施例によって移動通信端末機を通じて提供されるメニューを通じた全体的サービスの流れを示した図面である。
【０１１２】
前記図１４を参照すると、ユーザーがログイン（１２０１段階）して、友達ポストお知らせ（１２０２段階）メッセージが示されると、該バディーリストに移動してポストを照会（１２３２段階）する。なお、メモのお知らせ（１２０３段階）メッセージが示されると、メモを閲覧（１２０４段階）して、公知事項（１２０５段階）メッセージが示されると公知事項をみるようになる（１２０６段階）。もし、シャウティングメッセージ（１２０７段階）が示されるとミーティングを知らせるポストを照会（１２０８段階）して出席可否を決定（１２０９段階）する。
【０１１３】
一方、ユーザーのメニュー選択（１２１０段階）によってスポットメニューに入場（１２１１段階）すると、スポットリストがディスプレー（１２１２段階）されて、特定スポットを選択すると該スポットのポスト目録がディスプレー（１２１３段階）される。前記ポスト目録で特定ポストを選択すると該ポストがディスプレー（１２１４段階）されて、前記該ポストでコメント作成（１２１５段階）、評価（１２１６段階）、掲示者情報を見る（１２１７段階）、リレー及びプッシュ（１２１８段階）、メモを送る（１２１９段階）等の機能を遂行することができる。
【０１１４】
ここで、前記掲示者情報を見る（１２１７段階）が選択されると、該掲示者のアジトを訪問（１２２５段階）するようになり、前記該掲示者のアジトに入場（１２３６段階）してポストを確認（１２３７段階）してコメントを登録（１２３８段階）することができる。
【０１１５】
その反面、ユーザーのメニュー選択（１２１０段階）によってアジトメニューに入場（１２２６段階）すると、自分のアジトに登録されたポスト目録がディスプレー（１２２９段階）されて、特定ポストを選択して閲覧して（１２３０段階）掲載されたコメントを確認（１２３１段階）する。一方、前記アジトで他の主舞台に移動（１２２７段階）したり、お気に入りメニューを通じて他のアジト又はスポットへ移動（１２２８段階）することができる。
【０１１６】
ユーザーのメニュー選択（１２１０段階）によってバディーメニューに入場すると、自分のバディーリストが提供（１２３４段階）されて、各バディー達の状態情報がディスプレー（１２３３段階）される。前記バディーメニューでユーザーは各バディー達が登録したポストを照会（１２３２段階）したり、該バディーのアジトに移動（１２３５段階）することができるようになる。
【０１１７】
前記バディーのアジトに移動（１２３５段階）を選択すると、該バディーのアジトに入場（１２３６段階）して、前記バディーが登録したポストを確認（１２３７段階）してコメントを登録（１２３８段階）することができる。なお、前記バディーのアジトで他の主舞台に移動（１２３９段階）したり、お気に入りメニューを通じて他のアジト又はスポットに移動（１２４０段階）することができる。
【０１１８】
図１５は本発明の実施例によるスポット、アジト及びバディーメニューを通じたサービス連係手順を示した図面である。
【０１１９】
前記図１５を参照すると、前記図８乃至図１２で上述したようにスポットで基本的なブロギング（Ｂｌｏｇｇｉｎｇ）をするようになり、これを通じて自分の空間であるアジトが満たされて（Ｉｄｅｎｔｉｔｙ）、前記アジトを媒介としてバディーが作られる（Ｒｅｌａｔｉｏｎｓｈｉｐ）構造を形成する。これによって、前記スポット、アジト及びバディーサービスモジュールが個別的サービスではなく、お互いに有機的に連関されてサービスの全体通信の流れを形成する。
【０１２０】
例えば、ユーザーＡは狎鴎亭に位置して、前記狎鴎亭を主舞台とするスポットの中で［ロデオ通り］スポットに入場する。前記スポット選択によって該スポットに登録されたポスト目録がディスプレーされる。一番目のスポットのメニューでユーザーは前記ポスト目録の中で一つのポストを選択する。例えば、５番のユーザーＢが登録した‘［身辺雑記］  美顔？’を選択する。前記選択によって二番目のスポットのメニューで該ポストの内容がディスプレーされる。即ち、ユーザーＢが該スポットで登録したポストを閲覧するようになり、前記ユーザーＢがどのような人であるか気になり始める。これによって前記ポスト内容で該ポストを登録したユーザーＢの‘［アジトを見る］’を選択すると、三番目のアジトメニューが提供される。
【０１２１】
前記三番目のアジトメニューでは前記選択したユーザーＢのアジトがディスプレーされる。即ち、前記メニューでユーザーＡはユーザーＢが［ロデオ通り］スポットで登録したポストを通じて前記ユーザーＢのアジトを訪問するようになり、前記ユーザーＢの狎鴎亭で登録したポストを閲覧することで前記ユーザーＢを知るようになる。これによって、前記ユーザーＡは前記ユーザーＢにバディーを要請する。
【０１２２】
前記ユーザーＡがユーザーＢにバディー申請をして前記ユーザーＢが承諾をすることで、前記ユーザーＡ及びユーザーＢは新しい関係、即ち、バディー関係が形成される。従って、狎鴎亭でバディーが書き込んだ新しい文を閲覧することができて、前記バディーの変動事項をリアルタイムで確認することができる。
【０１２３】
図１６は本発明の実施例によるモブログ基盤の地域コミュニティーサービスの中で移動通信端末機のスポットメニューでの実行過程を示した図面である。
【０１２４】
前記図１６を参照すると、上述したようにユーザーが狎鴎亭に位置する時、該主舞台に対するスポットが人気順位によってディスプレーされる。前記スポット目録の中でロデオ通りスポットに入場すると、前記ロデオ通りに対して登録されたポスト目録が提供される。前記目録でメニューを通じて書き込み、検索、お気に入り登録、メッセージ函を見る等を実行することができる。
【０１２５】
一方、ここで書き込みを選択すると、書き込みメニューによって、題名（キーワード）を入力して、カテゴリを選択して、公開有無を設定する。なお、シャウティング／プッシュ／リレーオプションを設定して、内容を入力して、写真を書き込むようになる。
【０１２６】
ここで、前記シャウティングメニューを選択すると、バディーリスト又はその地域のＳＭＳ受信許容者達の目録を確認して該内容をシャウティング／プッシュ／リレーすることができる。
【０１２７】
一方、前記スポットのポスト目録で‘［コンテスト］美顔’メニューを選択すると、コンテスト対象者が書き込んだ文と写真がディスプレーされて、メニューによってコメント作成（メモ／ＳＭＳ）、スクラップ、プッシュ、評価、順位別見る、作成者のアジトに行く、メッセージ函を見る、次のポスト及び前のポスト等のメニューを実行することができる。
【０１２８】
図１７は本発明の実施例によるモブログ基盤の地域コミュニティーサービスの中でアジト機能を用いたサービス利用状況を示した図面である。
【０１２９】
前記図１７を参照すると、前記図１６で確認した‘［コンテスト］美顔’ポストによって前記コンテスト対象者に対する興味が形成されて、前記コンテスト対象者のアジトに移動することができる。
【０１３０】
前記コンテスト対象者のアジトでは前記アジトに登録されたポストを確認して、前記コンテスト対象者が登録したポストを通じて興味  分野及び経験を共有することができる。同時に、前記コンテスト対象者が訪問した場所を直接訪問したり、経験することもできるようになる。
【０１３１】
一方、上述したように本発明はオンラインでのミーティングが自然にオフライン会合になり、自分と興味が似た人達との新しい人脈を増やせるように所定の推薦アルゴリズムを遂行する。
【０１３２】
以下、図１８乃至図２２を参照して、本発明の実施例によって推薦アルゴリズムを遂行する方法を説明する。前記推薦アルゴリズムは上述したようにスポットの推薦、アジトの推薦、公知のための対象者の推薦等で分けられる。
【０１３３】
図１８は本発明の実施例による推薦アルゴリズムを遂行する推薦エンジン部の細部構造を示したブロック図である。
【０１３４】
前記図１８を参照すると、本発明の実施例による推薦エンジン部（４４１）はリンク測定部（１６００）、レベル測定部（１６１０）、優先順位算出部（１６２０）及び推薦対象決定部（１６３０）で構成される。一方、前記推薦エンジン部（４４１）は前記図４で上述したように位置基盤コミュニティーサーバー（３５０）の推薦アルゴリズムモジュール（４４０）内に構成することができる。
【０１３５】
前記リンク測定部（１６００）はアジトとアジト又はアジトとスポットとのリンク（関係性）を測定するようになり、前記測定方法は照会数、評価数、コメント数、お気に入り又はメモ伝送回数などによって測定するようになって、具体的方法を後述する。
【０１３６】
前記レベル測定部（１６１０）は他のアジトとスポットによって遂行されたリンクの数又はユーザーアジトが遂行した活動性によって前記アジトとスポットのレベルを測定されて、具体的方法は後述する。
【０１３７】
前記優先順位算出部（１６２０）は前記リンク測定部（１６００）で測定したリンク数値と前記レベル測定部（１６１０）で測定したレベル値によって該スポット又はアジトの推薦優先順位を算出する。前記推薦対象決定部（１６３０）は前記優先順位算出部（１６２０）で決定した優先順位によってスポット又はアジトの推薦対象を決定する。具体的算出及び決定  方法は後述する。
【０１３８】
図１９は本発明の実施例によってアジトを推薦する手順を示した流れ図である。
【０１３９】
前記図１９を参照すると、前記推薦エンジン部（４４１）ではまずユーザーの該アジトに対する関係度を測定（１７０１段階）する。その後、前記ユーザーが他のアジト又はスポットによって遂行されたリンクを測定（１７０２段階）する。なお、前記ユーザーアジトが遂行した活動性を測定（１７０３段階）する。
【０１４０】
前記各測定値を考えて該アジト又はスポットのレベルを算出（１７０４段階）する。その後、前記測定されたユーザーポストの関係度とレベルから推薦優先順位を算出（１７０５段階）する。
【０１４１】
最後に、上述したように前記推薦優先順位から最終的に推薦対象を決定（１７０６段階）する。
【０１４２】
以下、前記図１８及び図１９で上述した推薦アルゴリズムを例示してより詳細に説明する。
【０１４３】
本発明の実施例による推薦アルゴリズムは上述したようにスポット（ＳＰＯＴ）の推薦、アジト（ＡＺＩＴ）の推薦及び公知のための対象者推薦の三つの場合に適用される。前記推薦アルゴリズムは下記のような手順を通じて遂行される。以下に説明する具体的実施例は本発明の理解するために提供されるものであって、後述するアルゴリズムに用いられた概念を利用してどのような変形もできることは自明である。
【０１４４】
まず、アジトとアジト（ＡＺＩＴ  ｔｏ  ＡＺＩＴ）又はアジトとスポット（ＡＺＩＴ  ｔｏ  ＳＰＯＴ）のリンク（関係性）を測定する。前記リンクはユーザーがポストに対する照会の経験とユーザーに対するポストの評価及びコメント数、ユーザーによるお気に入り設定及びユーザーによる相手アジトにメモを送った数を考えて測定される。
【０１４５】
例えば、ユーザー（ＡＺＩＴ）がポスト（ＰＯＳＴ）に対する照会の経験では、前記照会経験点数を０．１〜０．３で設定することができる。即ち、照会回数基盤で１−５回は０．１点、６−１０回は０．２点、１０回以上は０．３と設定する。
【０１４６】
なお、ユーザー（ＡＺＩＴ）によるポスト（ＰＯＳＴ）の評価及びコメント数判断は、前記各ポスト（ＰＯＳＴ）に評価機能を提供してポスト評価点数を１−５点付与時、各各０．０５〜０．２５と付与することで算出する。
【０１４７】
前記ポスト（ＰＯＳＴ）のコメント回数は１回に０．１点と設定することができる。なお、ユーザー（ＡＺＩＴ）によるお気に入り設定ではＰＯＳＴ  お気に入り設定に０．１点、前記ポスト（ＰＯＳＴ）が含まれたスポット（ＳＰＯＴ）又はアジト（ＡＺＩＴ）に対するお気に入り（お隣）設定に０．３点、前記ユーザー（ＡＺＩＴ）による相手のアジト（ＡＺＩＴ）にメモを送った数で前記各メモ、ＳＭＳ、ＭＭＳ当０．１と設定することができる。
【０１４８】
従って、前記リンクの測定は上述したように設定された数値の合計で計算される。例えば、ユーザー（ＡＺＩＴ）が相手のアジト（ＡＺＩＴ）又はスポット（ＳＰＯＴ）で三つのポスト（ＰＯＳＴ）を照会し（０．１点）、一つのポスト（ＰＯＳＴ）に対して評価して評価点数が４点で（０．２）、二つのポスト（ＰＯＳＴ）をお気に入りと設定して（０．１  ＊  ２  ＝  ０．２点）、相手のアジト（ＡＺＩＴ）又はスポット（ＳＰＯＴ）にお気に入りを設定したら（０．３点）、この場合のユーザー（ＡＺＩＴ）と相手のアジト（ＡＺＩＴ）又はスポット（ＳＰＯＴ）とのリンク（関係性）は０．１＋０．２＋０．２＋０．３＝０．８点になる。
【０１４９】
二番目にアジト（ＡＺＩＴ）及びスポット（ＳＰＯＴ）のレベル（ＲＡＮＫ）測定方法を説明する。前記レベルは他のアジト（ＡＺＩＴ）又はスポット（ＳＰＯＴ）によって遂行されたリンク（関係性）の総合（Ａ１）及び前記ユーザーアジト（ＡＺＩＴ）が遂行した活動性の合計（Ａ２）で測定することができる。例えば、次のように点数を設定することができる。
−ポスト数                         （０．２＊ポスト数）
−ＰＯＳＴお気に入り               （０．０５＊お気に入り数）
−ＡＺＩＴ、ＳＰＯＴお気に入り     （０．１５＊お気に入り数）
−メモ、ＳＭＳ、ＭＭＳの発送数     （０．１＊発送数）
−コメント数                （０．０５＊コメント回数）
−評価数                           （０．０５＊評価回数）
−バディー許容又は要請数    （０．３＊回数）
【０１５０】
従って、前記リンクの総合及び前記ユーザーアジトが遂行した活動性の合計を加えることで（即ち、Ａ１＋Ａ２）前記アジト（ＡＺＩＴ）又はスポット（ＳＰＯＴ）のレベル（ＲＡＮＫ）を測定する。
【０１５１】
例えば、所定のアジト（ＡＺＩＴ）に連結されたリンクが二つであって、各リンクの連結度が各各０．８と１．４であれば、前記Ａ１の値は２．２になって、ユーザーのポスト数が二つ（０．４）、ユーザーがポスト（ＰＯＳＴ）に対するお気に入りをした数が２回（０．１）、ユーザーが他のポスト（ＰＯＳＴ）にコメントを４回遂行（０．２）すれば、前記Ａ１の値は０．７になる。
【０１５２】
従って、最終的に前記Ａ１＋Ａ２の値、即ち、該アジト（ＡＺＩＴ）のレベル値は２．９になる。
【０１５３】
その後、推薦アルゴリズムによって三番目に遂行される推薦優先順位算出は前記リンク（連結度）とレベルに対する二つのファクター（ｆａｃｔｏｒ）を基盤で計算される。
【０１５４】
例えば、前記推薦優先順位は下記＜数１＞のように算出される。
【０１５５】
【数１】
2008507751.tif 000003
【０１５６】
従って、前記推薦優先順位によって個人化された優先順位を導出することができる。前記優先順位を導出した例は下記の＜表１＞のようである。
【０１５７】
【表１】
2008507751.tif 000004
【０１５８】
最後に、前記算出された数値を順位化してアジト（ＡＺＩＴ）、スポット（ＳＰＯＴ）、友達（お隣）などを推薦することができる。
【０１５９】
従って、前記のような推薦アルゴリズムによってユーザーの興味のリンク（連結度）のみならず、アジト（ＡＺＩＴ）とスポット（ＳＰＯＴ）自体のレベルが推薦優先順位に反映されて有無線環境に適合した個人化された情報を提供ができるようになる。
【０１６０】
なお、リンク連結度とレベルを通じた推薦優先順位測定時、人脈ネットワークを３段階以上でも拡張ができるようになる。
【０１６１】
一方、サービスモデルによってはリンク連結度とレベル各各に加重値を付与して計算することができる。例えば、前記推薦優先順位を下記＜数２＞のように構成することができる。
【０１６２】
【数２】
2008507751.tif 000005
【０１６３】
従って、前記のような方式で算出された前記推薦優先順位によって各アジト及びスポットを整列することができる。これによって、前記各アジト及びスポットの推薦優先順位算出値が既設定された値以上である場合、該ユーザーに推薦するように具現できる。
【０１６４】
以上に推薦優先順位を選定して推薦対象を決定する方法を説明した。以下、図２０乃至図２２を参照して、前記推薦アルゴリズムが適用される状況を説明する。
【０１６５】
図２０は本発明の実施例によってメモ対象者を推薦する状況が発生される手順を示した流れ図である。即ち、前記図２０はユーザーがポスト（ＰＯＳＴ）を登録して友達又は推薦されるお隣に前記登録したポスト（ＰＯＳＴ）に対する公知を伝達するサービスの流れ図である。
【０１６６】
前記図２０を参照すると、ユーザーは上述したようにＬＢＳ基盤で該主舞台に入場し、前記主舞台のスポット（ＳＰＯＴ）を検索して該スポット（ＳＰＯＴ）に入場する。その後、前記スポット（ＳＰＯＴ）で情報の登録単位であるポスト（ＰＯＳＴ）を登録するためにポスト登録メニューを選択して、前記ポスト登録メニューによってカテゴリ、題名、内容入力、写真登録、権限設定などを入力する。
【０１６７】
この時、前記ユーザーは前記登録されたポストを推薦するために所定のメモを伝送することができる。この時、前記メモ伝送の対象は既存の友達の中で選択することもできるし、上述した本発明の実施例による推薦アルゴリズムによって選択された推薦対象に推薦することもできる。
【０１６８】
前記のように推薦対象が決定されると、該選択された推薦対象者達にメモを送ったり、ＳＭＳ又はＭＭＳで前記登録されたポストを伝送するようになる。
【０１６９】
図２１は本発明の実施例によってスポットを推薦する状況が発生される手順を示した流れ図である。
【０１７０】
前記図２１を参照すると、ユーザーが特定場所（ＳＰＯＴ）を検索したり、前記スポットを推薦アルゴリズムに根拠して推薦を受けて該スポットに入場することができる。この時、前記スポットを推薦アルゴリズムに根拠して推薦を受ける方法は上述したようである。
【０１７１】
前記のように検索又は推薦アルゴリズムによってスポットを選択すると、該スポットに登録されたポストの目録が出力される。
【０１７２】
前記ユーザーは該スポットのポストを閲覧して、前記該ポストにコメント又は評価を付けることができる。なお、前記ポストをお気に入りと登録したり、前記ポスト作成者のアジトに訪問することができる。同時に、前記検索又は推薦を受けたスポットをお気に入りに登録することができる。
【０１７３】
図２２は本発明の実施例によってアジトを推薦する状況が発生される手順を示した流れ図である。即ち、前記図２２は他人のアジトを推薦されたり、検索して、該アジトで登録されたポストを読んで前記ポストに対するコメントを作成したり、友達を要請する過程に対する流れ図である。
【０１７４】
前記図２２を参照すると、前記ユーザーはアジトを選択する時、お隣アジトを検索したり上述の推薦アルゴリズムに根拠してアジトを推薦されることができるようになる。
【０１７５】
前記検索又は推薦によってアジトが選択されると、該アジトに登録されたポストを閲覧するようになる。その後、前記閲覧したポストにコメント又は評価を付けることができて、前記ポストをお気に入りと登録することもできる
【０１７６】
なお、前記アジトと友達関係を結ぶためには、上述したように該アジトに友達要請を遂行する。
【０１７７】
前記図２０乃至図２２で上述した手順でのように、本発明の遂行過程の中でメモ対象者、スポット、アジト等の選択状況が発生することもある。この時、ユーザーは自分が検索して選択したり、上述の本発明の実施例によって推薦されて選択することができるようになる。
【０１７８】
一方、本発明の実施例では具体的実施例に関して説明したが、本発明の範囲を外れない限度内で色々変形ができることは無論である。それゆえに本発明の範囲は説明された実施例に限られて決められてはいけないし、特許請求の範囲のみならず、本特許請求の範囲と均等のものによって定められるべきである。
【０１７９】
本発明によると、モブログに場所という概念を導入して場所を媒介とするユーザー間のコミュニティーが形成されて、これに基づいてオンラインのみならず、オフラインでの実際ミーティングに誘導して人的ネットワークが形成されるようにする。
【０１８０】
なお、本発明によって場所基盤の思い出残し、場所掲示板、場所（商店）広報、場所に対する人達の評価、地域イベント公知、地域コンテスト参与、場所基盤オフ会公知など、多様にサービスを活用することができるようになるという長所がある。
【０１８１】
なお、ユーザーの興味のリンク（連結度）のみならず、アジトとスポット自体のレベルが推薦優先順位に反映されて有無線環境に適合の個人化された情報を提供することができるようになり、リンク連結度とレベルを通じた推薦優先順位測定時、人脈ネットワークを３段階以上でも拡張できるという長所がある。
【０１８２】
同時に、本発明の実施例による人脈推薦方法を用いて活用して新しい友達（お隣人脈）を提供されることができて、このようなオンライン又はオフラインでのミーティングは伝達者にＳＭＳ、ＭＭＳなどを通じてリアルタイムで伝達できるという長所がある。
【図面の簡単な説明】
【０１８３】
【図１】本発明によるユーザーの活動基盤である人脈ネットワークを概念的に表現した主舞台概念図である。
【図２】本発明によるユーザーのアジトを中心とする特定場所（Ｓｐｏｔ）、友達との関係性を示すリンク概念図である。
【図３】本発明による移動通信端末機を通じたモブログ基盤の地域コミュニティーサービスシステムを示した図面である。
【図４】本発明の実施例による位置基盤コミュニティーサーバー及び外部連動システムの細部構成を示した図面である。
【図５】本発明の実施例によって可能となるサービスの例等を示した図面である。
【図６】本発明の実施例によってサービスできるサービスの流れを概念的に示した図面である。
【図７】本発明の実施例による移動通信端末機を通じたモブログ基盤の地域コミュニティーサービス提供手順を示した流れ図である。
【図８】本発明の実施例による移動通信端末機のスポット（Ｓｐｏｔ）メニューを通じたサービス方法を示した図面である。
【図９】本発明の実施例による移動通信端末機のスポット（Ｓｐｏｔ）メニューを通じたサービス方法を示した図面である。
【図１０】本発明の実施例による移動通信端末機のアジト（Ａｚｉｔ）メニューを通じたサービス方法を示した図面である。
【図１１】本発明の実施例による移動通信端末機のアジト（Ａｚｉｔ）メニューを通じたサービス方法を示した図面である。
【図１２】本発明の実施例による移動通信端末機のバディー（Ｂｕｄｄｙ）メニューを通じたサービス方法を示した図面である。
【図１３】本発明の実施例による移動通信端末機のアジトメニューでコメントを作成する方法を示した図面。
【図１４】本発明の実施例によって移動通信端末機を通じて提供されるメニューを通じた全体的サービスの流れを示した図面。
【図１５】本発明の実施例によるスポット、アジト及びバディーメニューを通じたサービス連係手順を示した図面である。
【図１６】本発明の実施例によるモブログ基盤の地域コミュニティーサービスの中で移動通信端末機のスポットメニューでの実行過程を示した図面である。
【図１７】本発明の実施例によるモブログ基盤の地域コミュニティーサービスの中でアジト機能を用いたサービス利用状況を示した図面である。
【図１８】本発明の実施例による推薦アルゴリズムを遂行する推薦エンジン部の細部構造を示したブロック図である。
【図１９】本発明の実施例によってアジトを推薦する手順を示した流れ図である。
【図２０】本発明の実施例によってメモ対象者を推薦する状況が発生される手順を示した流れ図である。
【図２１】本発明の実施例によってスポットを推薦する状況が発生される手順を示した流れ図である。
【図２２】本発明の実施例によってアジトを推薦する状況が発生される手順を示した流れ図である。
【符号の説明】
【０１８４】
１００  ：ユーザーアジト
１１０、１２０、２００  ：スポット
１３０、２１０  ：お隣アジト
１４０、２２０  ：友達（バディー）アジト
２３０  ：友達の友達アジト
２４０  ：友達の興味  スポット
３００  ：移動通信端末機
３１０  ：無線網終端装置
３２０  ：無線ネットワーク
３３０  ：インターネットネットワーク
３４０  ：有線端末機
３５０  ：位置基盤コミュニティーサーバー
３６０  ：外部連動システム
４００  ：ユーザー認証部
４１０  ：ポスト管理部
４２０  ：外部インタフェース部
４３０  ：サービス管理モジュール
４４０  ：推薦アルゴリズムモジュール
４５０  ：データベース部
４６１  ：ＳＭＳシステム
４６２  ：ＭＭＳシステム
４６３  ：インスタントメッセンジャーシステム
４６４  ：Ｅメールシステム
４６５  ：課金システム
４６６  ：位置基盤システム
１６００  ：リンク測定部
１６１０  ：レベル測定部
１６２０  ：優先順位算出部
１６３０  ：推薦対象決定部
【図１】
2008507751.tif 000006
【図２】
2008507751.tif 000007
【図３】
2008507751.tif 000008
【図４】
2008507751.tif 000009
【図５】
2008507751.tif 000010
【図６】
2008507751.tif 000011
【図７】
2008507751.tif 000012
【図８】
2008507751.tif 000013
【図９】
2008507751.tif 000014
【図１０】
2008507751.tif 000015
【図１１】
2008507751.tif 000016
【図１２】
2008507751.tif 000017
【図１３】
2008507751.tif 000018
【図１４】
2008507751.tif 000019
【図１５】
2008507751.tif 000020
【図１６】
2008507751.tif 000021
【図１７】
2008507751.tif 000022
【図１８】
2008507751.tif 000023
【図１９】
2008507751.tif 000024
【図２０】
2008507751.tif 000025
【図２１】
2008507751.tif 000026
【図２２】
2008507751.tif 000027
【国際調査報告】
2008507751.tif 000028
2008507751.tif 000029